(57)【要約】  【課題】  部屋のインテリアにマッチした装飾を施すことが可能であり、かつ、画面の焼き付きが発生することのない画像表示装置を提供する。  【解決手段】  表示装飾部材３は、１つ以上の画像通過窓を有する表示装飾部材本体２１と、この表示装飾部材本体２１の大きさや画像通過窓の位置および大きさ等を記憶する無線ＩＣタグ２２と、を有している。この表示装飾部材３を設置可能な画像表示装置２は、前面に表示装飾部材３が設置されるようになされたモニタ５と、無線ＩＣタグ２２に記憶されている情報を取得するアンテナ部１７および無線ＩＣタグリーダ１６と、無線ＩＣタグリーダ１６により取得した情報に基づいて、画像通過窓に該当する位置に画像を適切に表示させるようにモニタ５を制御する画像読込制御部１３，表示制御部１５，およびＣＰＵ１１と、を備えている。【選択図】図５
2007047480.tif 000002
【特許請求の範囲】
【請求項１】
外部から読み取り可能な情報を記憶する記憶手段を有する表示装飾部材を設置可能な画像表示装置であって、
画像を表示するための画像表示手段と、
前記表示装飾部材を前記画像表示手段の前面に設置するための表示装飾部材設置手段と、
前記表示装飾部材の前記記憶手段に記憶されている情報を取得するための情報取得手段と、
前記情報取得手段により取得した情報に基づいて、前記画像表示手段に表示させる画像を制御する制御手段と、
を具備したことを特徴とする画像表示装置。
【請求項２】
前記情報取得手段は、前記表示装飾部材と非接触通信を行うことにより、前記記憶手段に記憶された情報を取得するものであることを特徴とする請求項１に記載の画像表示装置。
【請求項３】
前記画像表示手段の背面側に設けられた、非使用の前記表示装飾部材を収納するための収納手段、をさらに具備したことを特徴とする請求項１に記載の画像表示装置。
【請求項４】
前記表示装飾部材の前記記憶手段は、該表示装飾部材における画像の通過を許容する領域と画像の通過を禁止する領域との少なくとも一方に関する情報を記憶するものであり、
前記制御手段は、前記情報取得手段により取得した情報に基づいて、前記画像表示手段に表示させる画像の表示範囲を制御するものであることを特徴とする請求項１に記載の画像表示装置。
【請求項５】
前記表示装飾部材の前記記憶手段は、該表示装飾部材の設置方向に関する情報をさらに記憶するものであり、
前記制御手段は、前記情報取得手段により取得した情報に基づいて、前記画像表示手段と前記表示装飾部材との相対的な方向と、前記画像表示手段の設置方向と、を判定し、判定結果に基づき前記画像表示手段に表示させる画像の方向をさらに制御するものであることを特徴とする請求項４に記載の画像表示装置。
【請求項６】
前記情報取得手段は、上記画像表示手段における所定の複数位置に対応して配設された複数の情報受信部を有して構成されたものであることを特徴とする請求項５に記載の画像表示装置。
【請求項７】
前記表示装飾部材の前記記憶手段は、画像群の中から表示対象とする画像を選別するための情報をさらに記憶するものであり、
前記制御手段は、前記情報取得手段により取得した情報に基づいて画像を選別し、前記画像表示手段に該画像を表示させるように制御するものであることを特徴とする請求項４に記載の画像表示装置。
【請求項８】
前記表示装飾部材の前記記憶手段は、画像の表示を更新する時間をさらに記憶するものであり、
前記制御手段は、前記情報取得手段により取得した情報に基づいて、前記画像表示手段に表示させる画像を更新するように制御するものであることを特徴とする請求項４に記載の画像表示装置。
【請求項９】
前記表示装飾部材の前記記憶手段は、画像に係る情報を表示させるための情報、をさらに記憶するものであり、
前記制御手段は、前記情報取得手段により取得した情報に基づいて、前記画像表示手段に画像を表示させるとともに該画像に係る情報を表示させるように制御するものであることを特徴とする請求項４に記載の画像表示装置。
【請求項１０】
前記表示装飾部材の前記記憶手段は、画像の表示態様に係る情報をさらに記憶するものであり、
前記制御手段は、前記情報取得手段により取得した情報に基づいて、前記表示態様に適するように画像処理を行い、処理後の画像を前記画像表示手段に表示させるように制御するものであることを特徴とする請求項４に記載の画像表示装置。
【請求項１１】
前記制御手段は、前記表示装飾部材が前記表示装飾部材設置手段に設置されていないと判定した場合には、前記画像表示手段の全画面に画像を表示させるように制御するものであることを特徴とする請求項４に記載の画像表示装置。
【請求項１２】
前記画像表示手段は、透過型表示素子と、この透過型表示素子を背面から部分的に選択して照明可能な複数の照明手段と、を有して構成されたものであり、
前記制御手段は、前記情報取得手段により取得した情報に基づいて、前記表示装飾部材における画像の通過を許容する領域を照明しない照明手段が存在すると判定した場合には、該照明手段による照明を行わせないようにさらに制御するものであることを特徴とする請求項４に記載の画像表示装置。
【請求項１３】
前記制御手段は、前記情報取得手段により取得した情報に基づいて、前記表示装飾部材設置手段に設置されている表示装飾部材における画像の通過を禁止する領域が、前記画像表示手段の全画面に渡るものであると判定した場合には、前記画像表示手段の電源をオフするように制御するものであることを特徴とする請求項４に記載の画像表示装置。
【請求項１４】
前記表示装飾部材の前記記憶手段は、前記制御手段により直接実行可能なバイナリプログラムを記憶するものであり、
前記制御手段は、前記情報取得手段により取得したバイナリプログラムを実行するものであることを特徴とする請求項１に記載の画像表示装置。
【発明の詳細な説明】
【技術分野】
【０００１】
本発明は、画像表示装置、より詳しくは、表示装飾部材を設置可能な画像表示装置に関する。
【背景技術】
【０００２】
従来より、気に入った写真プリントを写真立て（フォトスタンド）に入れて室内等に飾ることが行われている。これに対して、近年、写真スタンドに入れた写真プリントとほぼ同様に、画像データを電子的に表示するようになされた電子フォトスタンドが知られるようになってきている。
【０００３】
このような技術の一例として、特開２００５−５６０２９号公報には、非接触で画像が印刷された画像プリントに埋め込まれた非接触型ＩＣメモリの情報を読み取り、該画像プリントに印刷されたのと同じ画像を電子的に表示する表示装置としての電子フォトスタンドが記載されている。
【０００４】
ところで、写真プリント用のフォトスタンドは、種々のデザインが施され、写真の装飾性を高めるようになされたものが多い。これに対して、電子画像では、画像データとテンプレート画像とを合成して、装飾性を高めるようにする技術が知られている。
【０００５】
こうした技術として、例えば特開２００１−２６８３３８号公報には、テンプレート画像を部分画像に分解して記憶しておき、これらを組み合わせることによって多種多様なテンプレート画像を作成する技術が記載されていて、写真個々の装飾性を高めるものとなっている。
【０００６】
ところで、画像を電子的に表示する装置においては、同一の画像を長時間表示すると、画面の焼き付きが発生する場合があることが広く知られている。このために、多くの電子的な画像表示装置では、従来より、一定の周期で画面全体の表示を更新する機能を実装して、焼き付きを防止する対策を施すようになされている。
【特許文献１】特開２００５−５６０２９号公報
【特許文献２】特開２００１−２６８３３８号公報
【発明の開示】
【発明が解決しようとする課題】
【０００７】
ところで、上記特開２００５−５６０２９号公報に記載されたような電子フォトスタンドは、例えば部屋のインテリアの１つとして、リビングの壁面や机上等に据え置かれるタイプのものである。電子フォトスタンドを部屋のインテリアとして据え置く場合（据え置き型の電子フォトスタンドの場合）には、該電子フォトスタンドの装飾性がインテリアにマッチしていることが望まれるが、部屋のインテリアは、滅多に変更されることはないために、電子フォトスタンドの装飾もほぼ固定的になると考えられる。
【０００８】
従って、上記特開２００１−２６８３３８号公報等に記載された技術により合成された装飾付き画像を、据え置き型の電子フォトスタンドにより一定周期で表示更新しながら再生する場合には、次のような課題が生じると考えられる。
【０００９】
（１）  テンプレートは、例えば写真個々の装飾性を重視したものであって、必ずしも部屋のインテリアに合わせたものではないために、インテリアにそぐわないことがある。また、写真を一定周期で更新すると、テンプレートも写真に合わせて一定周期で更新されてしまうために、見苦しくなってしまう場合があり得る。
【００１０】
（２）  これに対して、テンプレートとしてインテリアにマッチしたものを使用し画像合成する場合には、その装飾（テンプレート）がほぼ固定的となってしまうために、写真部分のみを一定周期で表示更新したとしても、該装飾（テンプレート）部分がモニタ画面に焼き付いてしまう可能性がある。
【００１１】
本発明は上記事情に鑑みてなされたものであり、部屋のインテリアにマッチした装飾を施すことが可能であり、かつ、画面の焼き付きが発生することのない画像表示装置を提供することを目的としている。
【課題を解決するための手段】
【００１２】
上記の目的を達成するために、第１の発明による画像表示装置は、外部から読み取り可能な情報を記憶する記憶手段を有する表示装飾部材を設置可能な画像表示装置であって、画像を表示するための画像表示手段と、前記表示装飾部材を前記画像表示手段の前面に設置するための表示装飾部材設置手段と、前記表示装飾部材の前記記憶手段に記憶されている情報を取得するための情報取得手段と、前記情報取得手段により取得した情報に基づいて前記画像表示手段に表示させる画像を制御する制御手段と、を具備したものである。
【００１３】
また、第２の発明による画像表示装置は、上記第１の発明による画像表示装置において、前記情報取得手段が、前記表示装飾部材と非接触通信を行うことにより、前記記憶手段に記憶された情報を取得するものである。
【００１４】
さらに、第３の発明による画像表示装置は、上記第１の発明による画像表示装置において、前記画像表示手段の背面側に設けられた、非使用の前記表示装飾部材を収納するための収納手段、をさらに具備したものである。
【００１５】
第４の発明による画像表示装置は、上記第１の発明による画像表示装置において、前記表示装飾部材の前記記憶手段が、該表示装飾部材における画像の通過を許容する領域と画像の通過を禁止する領域との少なくとも一方に関する情報を記憶するものであり、前記制御手段は、前記情報取得手段により取得した情報に基づいて、前記画像表示手段に表示させる画像の表示範囲を制御するものである。
【００１６】
第５の発明による画像表示装置は、上記第４の発明による画像表示装置において、前記表示装飾部材の前記記憶手段が、該表示装飾部材の設置方向に関する情報をさらに記憶するものであり、前記制御手段は、前記情報取得手段により取得した情報に基づいて、前記画像表示手段と前記表示装飾部材との相対的な方向と、前記画像表示手段の設置方向と、を判定し、判定結果に基づき前記画像表示手段に表示させる画像の方向をさらに制御するものである。
【００１７】
第６の発明による画像表示装置は、上記第５の発明による画像表示装置において、前記情報取得手段が、上記画像表示手段における所定の複数位置に対応して配設された複数の情報受信部を有して構成されたものである。
【００１８】
第７の発明による画像表示装置は、上記第４の発明による画像表示装置において、前記表示装飾部材の前記記憶手段が、画像群の中から表示対象とする画像を選別するための情報をさらに記憶するものであり、前記制御手段は、前記情報取得手段により取得した情報に基づいて画像を選別し、前記画像表示手段に該画像を表示させるように制御するものである。
【００１９】
第８の発明による画像表示装置は、上記第４の発明による画像表示装置において、前記表示装飾部材の前記記憶手段が、画像の表示を更新する時間をさらに記憶するものであり、前記制御手段は、前記情報取得手段により取得した情報に基づいて、前記画像表示手段に表示させる画像を更新するように制御するものである。
【００２０】
第９の発明による画像表示装置は、上記第４の発明による画像表示装置において、前記表示装飾部材の前記記憶手段が、画像に係る情報を表示させるための情報をさらに記憶するものであり、前記制御手段は、前記情報取得手段により取得した情報に基づいて、前記画像表示手段に画像を表示させるとともに該画像に係る情報を表示させるように制御するものである。
【００２１】
第１０の発明による画像表示装置は、上記第４の発明による画像表示装置において、前記表示装飾部材の前記記憶手段が、画像の表示態様に係る情報をさらに記憶するものであり、前記制御手段は、前記情報取得手段により取得した情報に基づいて、前記表示態様に適するように画像処理を行い、処理後の画像を前記画像表示手段に表示させるように制御するものである。
【００２２】
第１１の発明による画像表示装置は、上記第４の発明による画像表示装置において、前記制御手段が、前記表示装飾部材が前記表示装飾部材設置手段に設置されていないと判定した場合には、前記画像表示手段の全画面に画像を表示させるように制御するものである。
【００２３】
第１２の発明による画像表示装置は、上記第４の発明による画像表示装置において、前記画像表示手段が、透過型表示素子と、この透過型表示素子を背面から部分的に選択して照明可能な複数の照明手段と、を有して構成されたものであり、前記制御手段は、前記情報取得手段により取得した情報に基づいて、前記表示装飾部材における画像の通過を許容する領域を照明しない照明手段が存在すると判定した場合には、該照明手段による照明を行わせないようにさらに制御するものである。
【００２４】
第１３の発明による画像表示装置は、上記第４の発明による画像表示装置において、前記制御手段が、前記情報取得手段により取得した情報に基づいて、前記表示装飾部材設置手段に設置されている表示装飾部材における画像の通過を禁止する領域が前記画像表示手段の全画面に渡るものであると判定した場合には、前記画像表示手段の電源をオフするように制御するものである。
【００２５】
第１４の発明による画像表示装置は、上記第１の発明による画像表示装置において、前記表示装飾部材の前記記憶手段が、前記制御手段により直接実行可能なバイナリプログラムを記憶するものであり、前記制御手段は、前記情報取得手段により取得したバイナリプログラムを実行するものである。
【発明の効果】
【００２６】
本発明の画像表示装置によれば、部屋のインテリアにマッチした装飾を施すことが可能であり、かつ、画面の焼き付きが発生することがない。
【発明を実施するための最良の形態】
【００２７】
以下、図面を参照して本発明の実施の形態を説明する。
【００２８】
［実施形態１］
図１から図１５は本発明の実施形態１を示したものであり、図１は表示装飾部材の一例を示す図、図２は図１の表示装飾部材に対応する画像表示装置の表示例を示す図、図３は図１の表示装飾部材と図２の画像表示装置とを組み合わせた状態を示す図である。
【００２９】
まず、図１から図３を参照して、画像表示装置と、この画像表示装置に取り付けられる表示装飾部材と、の概要について説明する。
【００３０】
画像表示システム１は、画像表示装置２と、この画像表示装置２の画面側に取り付けられる表示装飾部材３と、を有して構成されている。
【００３１】
表示装飾部材３は、例えば図１に示すように、デザインに応じた色彩や模様などが施され矩形状をなす板状部材の、中央部に設けられた矩形の第１画像通過窓３ａと、左上部に設けられたハート型の第２画像通過窓３ｂと、右上部に設けられた楕円形状の第３画像通過窓３ｃと、左下部に設けられた楕円形状の第４画像通過窓３ｄと、右下部に設けられたハート側の第５画像通過窓３ｅと、を有して構成されている。なお、この図１に示した画像通過窓の個数や形状、大きさ、配置などは、単なる一例を示したものであるために、異なる構成であってももちろん構わない。この表示装飾部材３の本体は、デザイン等に応じて、あるいは軽量化等を図るために、例えば紙、コルク、プラスチック、金属などの各種の素材を用いて形成されている。ここに、画像通過窓は、画像に係る光束を通過させ得るものであれば良いために、例えば貫通孔が一例として挙げられるが、該貫通孔に透明な板や半透明な板、色彩や模様が施された透明または半透明な板などが取り付けられた構成であっても構わない。図１におけるハッチング部分は、光束を非透過である部分を示している。
【００３２】
また、図１に示した表示装飾部材３が図３に示すように画像表示装置２に取り付けられた場合には、該画像表示装置２は、後で説明するような無線ＩＣタグ２２（図５参照）を介して表示装飾部材３の情報を読み取り、該表示装飾部材３に設けられた各画像通過窓の形状や大きさや配置に応じて、図２に示すような画像を表示するようになっている。すなわち、画像表示領域２ａは、第１画像通過窓３ａを介して第１の画像を表示するための領域、画像表示領域２ｂは、第２画像通過窓３ｂを介して第２の画像を表示するための領域、画像表示領域２ｃは、第３画像通過窓３ｃを介して第３の画像を表示するための領域、画像表示領域２ｄは、第４画像通過窓３ｄを介して第４の画像を表示するための領域、画像表示領域２ｅは、第５画像通過窓３ｅを介して第５の画像を表示するための領域、となっている。そして、表示装飾部材３の画像通過窓に対応しない領域（図２中におけるハッチング部分）には、特に画像は表示されない。なお、図２に示したような画像表示領域２ｂ，２ｃ，２ｄ，２ｅの形状は、この例においては、図１に示したような画像通過窓３ｂ，３ｃ，３ｄ，３ｅの形状とは異なるが、一致させるようにしても構わない。要は、画像通過窓の範囲を含むように、実用的にはやや大きめの画像表示領域を設定すれば良い。
【００３３】
こうして、画像表示装置２に表示装飾部材３を取り付けた画像表示システム１には、第１〜第５の画像が、第１〜第５画像通過窓３ａ〜３ｅを介して観察可能に表示されるようになっている。
【００３４】
次に、図４は、表示装飾部材３を取り付けた画像表示装置２の構成を示す断面図である。
【００３５】
画像表示装置２は、例えば矩形の短筒状をなす本体４を備えており、この本体４には、透過型表示素子たる液晶モニタ５ａと、この液晶モニタ５ａを背面側から照明するための照明手段たる照明装置５ｂと、が設けられている。
【００３６】
また、本体４の液晶モニタ５ａの正面側には表示装飾部材設置手段たる取付部４ａが設けられていて、この取付部４ａに上述したような表示装飾部材３が取り付けられるようになっている。
【００３７】
一方、本体４の背面側には、非使用の表示装飾部材３を例えば複数個収納するための収納手段たる収納部４ｂが設けられていて、収納扉４ｃを介して開閉可能に閉蓋されている。これにより、部屋の模様替えや気分によって、表示装飾部材３を気軽に差し替えることが可能となる。このとき、取り外した表示装飾部材３を紛失することなく、確実に保存しておくことができる。
【００３８】
そして、本体４の正面側には、額縁６が、例えば着脱可能に取り付けられ得るようになっている。
【００３９】
続いて、図５は、画像表示システム１の主として電気的な構成を示すブロック図である。
【００４０】
まず、表示装飾部材３は、例えば図１に示したような形状の表示装飾部材本体２１に、微小なチップ形状をなす記憶手段たる無線ＩＣタグ２２が取り付けられて構成されている。なお、この図５においては、無線ＩＣタグ２２があたかも表示装飾部材本体２１の外面から突出して設けられているかのように図示されているが、実際には、例えば表示装飾部材本体２１の内部に埋め込まれている。この無線ＩＣタグ２２には、この表示装飾部材３の形状や大きさ、上述したような画像通過窓の形状や大きさや配置、あるいはどのような用途に適した表示装飾部材３であるかを示す情報、などが記載されている。この無線ＩＣタグ２２に記憶されている情報については、後で具体的な例を参照しながらより詳細に説明する。
【００４１】
画像表示装置２は、モニタ５と、ＣＰＵ１１と、記録媒体１２と、画像読込制御部１３と、ＲＡＭ１４と、表示制御部１５と、無線ＩＣタグリーダ１６と、アンテナ部１７と、を含んでいる。
【００４２】
モニタ５は、図４に示したような液晶モニタ５ａおよび照明装置５ｂを含んで構成される画像表示手段である。
【００４３】
記録媒体１２は、例えば、小型ハードディスクやフラッシュメモリ等の不揮発性記憶手段により構成され、複数の画像データ（画像データ群）を蓄積して記憶するためのものである。この記録媒体１２には、画像データ群が記録されているだけでなく、各画像データに係る関連情報（例えば、画像データに係るキーワード（より具体的には、家族の写真にはキーワード「family（家族）」を、旅行の写真にはキーワード「travel（旅行）」を、各付す等。キーワードの他の例としては、季節、海、山、誕生日等が挙げられ、広く採用することができる。）など）や、画像データの分類（例えば、写真の縦横位置による分類や、キーワードに沿った分類など）を示すデータベース等が記載されている。なお、記録媒体１２は、画像表示装置２に固定的に設けられる記録媒体に限るものではなく、メモリカード等の着脱自在な記録媒体であっても構わない。あるいは、この記録媒体１２に代えて、またはこの記録媒体１２に加えて、さらに、有線ＬＡＮ、無線ＬＡＮ、ＩＥＥＥ１３９４などのネットワーク制御手段を備えさせ、ネットワークに接続して通信を行うことにより、ネットワーク上の画像データサーバから画像データを読み込むようにしても構わない。
【００４４】
画像読込制御部１３は、ＣＰＵ１１の制御に応じて、記録媒体１２に記録されている複数の画像の中から表示しようとする画像を抽出し、ＲＡＭ１４へ転送する制御を行う制御手段ある。なお、記録媒体１２として着脱可能な例えばメモリカードを用いる場合には、この画像読込制御部１３として、メモリカード制御手段を採用することになる。
【００４５】
ＲＡＭ１４は、画像読込制御部１３により読み込まれた画像データを記憶するための画像バッファとして用いられると共に、ＣＰＵ１１により実行される処理プログラムを格納したり、あるいはＣＰＵ１１により用いられる各種のデータを記憶したりするのにも用いられるものである。
【００４６】
記録媒体１２に記録されている画像データは、モニタ５に表示するに適した形態の画像データであるとは限らないために、ＣＰＵ１１は、ＲＡＭ１４に記憶された画像データに所定の画像処理を施して、表示用のデータを生成するようになっている。また、ＣＰＵ１１は、後述するような無線ＩＣタグ２２に記憶されている表示態様（例えば、モノクロ、セピア、絵画調など）に関する情報に基づいて、該表示態様に適するように画像処理を行う。なお、ここではＣＰＵ１１により画像処理を行うようにしているが、これに限らず、高速処理を行うことが可能な専用のハードウェアエンジン（例えば、読み出した画像データがＪＰＥＧ圧縮された画像データである場合には、ＪＰＥＧ伸張を行うハードウェアエンジン）等を用いて画像処理を行うようにしても良い。
【００４７】
表示制御部１５は、ＣＰＵ１１の制御に基づいて、ＲＡＭ１４に記憶されている表示用のデータを、所定のタイミングに従ってモニタ５に表示させるように制御する制御手段である。
【００４８】
アンテナ部１７は、表示装飾部材３に設けられた無線ＩＣタグ２２に記憶されている情報を、該無線ＩＣタグ２２と非接触通信（例えば、無線通信）を行うことにより、取得するための通信手段であり情報取得手段である。
【００４９】
無線ＩＣタグリーダ１６は、アンテナ部１７を介して得られた信号を解析して、無線ＩＣタグ２２に記憶されている情報を取得するための情報取得手段である。
【００５０】
ＣＰＵ１１は、無線ＩＣタグリーダ１６によって取得した情報に基づいて、上述したような各構成要素を含むこの画像表示装置２全体を制御する制御手段である。
【００５１】
続いて、図６は表示装飾部材３の他の例を示す図、図７は図６に示したような表示装飾部材３の無線ＩＣタグ２２に記憶されている情報の例を示す図である。
【００５２】
これら図６および図７を参照して、無線ＩＣタグ２２に記憶されている情報の具体的な例について説明する。
【００５３】
まず、表示装飾部材３は、図６に示すように構成されているものとする。すなわち、矩形状をなす表示装飾部材３には、左上から右下へ向かう対角方向に、４つの星形の画像通過窓３ｆ，３ｇ，３ｈ，３ｉが配列されている。
【００５４】
さらに、表示装飾部材３の右上には、円形の画像通過窓３ｊが、表示装飾部材３の中央部上側には、横長の矩形をなす画像通過窓３ｋが、それぞれ設けられている。
【００５５】
そして、このような表示装飾部材３において、次のような表示が行われることが期待されるものとする。
【００５６】
まず、画像通過窓３ｆ，３ｇ，３ｈ，３ｉは、それぞれ異なる画像を表示するのに用いられるが、左上から右下へ向かって、３秒周期で画像が順番に移動していくように、表示更新が行われるものとする。具体的には、ある時刻において画像通過窓３ｆに表示されていた画像は、その３秒後には画像通過窓３ｇに表示され、さらにその３秒後には画像通過窓３ｈに表示され、等が行われるものとする。これにより、あたかも流れ星のような再生効果を得ることができる。
【００５７】
また、画像通過窓３ｊは、画像データをランダムにピックアップして、１０秒の更新周期で表示する。
【００５８】
さらに、画像通過窓３ｋは、画像通過窓３ｊに表示されている画像の付属情報を表示可能な領域となっている。付属情報の具体的な例としては、例えば、撮影日時、ユーザが指定したコメント、等が挙げられる。
【００５９】
このような構成および表示態様の表示装飾部材３の無線ＩＣタグ２２には、例えば、図７に示すような情報が記憶されている。なお、図示の都合上、図７においては情報を２列に渡って記載している。
【００６０】
まず、情報の１行目は、情報を記述する言語がＸＭＬのバージョン１．０で、シフトＪＩＳの文字を使用してテキストとして記述されていることを示している。
【００６１】
次の<DECORATION>から最後の</DECORATION>までが、表示装飾部材３の装飾状態に関する情報を記載する部分である。なお、記号<>で括られるタグには、幾つかの例外を除いて必ず対応するタグがあり、範囲の基端を示すタグに対して、範囲の終端を示すタグは/が付されたものとなっている。
【００６２】
タグ<BODY>（からタグ</BODY>までの間、以下、範囲の終端を示すタグは説明を省略する）は、表示装飾部材本体２１の形状等に関する情報を記載する部分である。
【００６３】
タグ<SizeWidth>には「240」が記載されていて、表示装飾部材本体２１の幅が２４０ｍｍであることを示している。
【００６４】
タグ<SizeHeight>には「180」が記載されていて、表示装飾部材本体２１の高さが１８０ｍｍであることを示している。
【００６５】
なお、ここでは、表示装飾部材本体２１の大きさを示す単位としてｍｍを用いているが、他の単位を用いることも可能であるし、単位を指定することができるようにしても良い。
【００６６】
タグ<Keywords>は、オプションとして設定可能な部分であり、画像群から特定の画像を抽出するために用いられるキーワードを記載する部分である。この図７に示す例においては、キーワードとして「family」（家族）が記載されている。従って、記録媒体１２に記録されている画像群の内、「家族」に関連する画像がこの表示装飾部材３を装着された画像表示装置２に表示されることになる。
【００６７】
続くタグ<PARTS>は、表示装飾部材３の各画像通過窓に関する情報を記載する部分であり、１つの画像通過窓が、タグ<PART>により記述されるようになっている。
【００６８】
１つめのタグ<PART partid="A001">は、パートＩＤが「Ａ００１」である画像通過窓に関する情報が記載されている。ここでは、「Ａ００１」のパートＩＤは、画像通過窓３ｊに対して割り当てられている。
【００６９】
タグ<PositionWidth>は画像通過窓３ｊの中心位置の横方向の座標を、タグ<PositionHeight>は画像通過窓３ｊの中心位置の縦方向の座標を、それぞれ示しており、ここでは、中心座標が（１９０，４０）となっている。
【００７０】
タグ<SizeWidth>は画像通過窓３ｊの幅を、タグ<SizeHeight>は画像通過窓３ｊの高さを、それぞれ示しており、ここでは、幅５０ｍｍ、高さ５０ｍｍとなっている。なお、図６等に示したように、画像通過窓は、表示装飾部材３の四辺に平行な各辺を有する矩形であるとは限らないために、この幅および高さは、横方向の最大幅および縦方向の最大高さをそれぞれ記載するようになっている。これにより、画像表示装置２のモニタ５に、画像通過窓の表示範囲を含むような（やや大きめの）画像を表示することが可能となる。
【００７１】
タグ<Attribute>は、表示しようとする情報の属性が記載される。ここには、表示情報の種類と形状とが記載されており、「image」は画像情報を画像通過窓３ｊに表示すべきことを、「circle」は画像通過窓３ｊの形状が円形であることを、それぞれ示している。
【００７２】
タグ<Relation>は、画像通過窓同士の親子関係を記述する部分である。この部分に「０」が記述されている場合には、「親」であることを意味する。これに対して、「子」である場合には、親のパートＩＤがここに記述されるようになっている。
【００７３】
タグ<Interval>は、表示更新の周期を１ミリ秒（１／１０００秒）単位で記録する部分である。ここでは、「１００００」が記録されているために、表示を１０秒ごとに更新することを意味している。
【００７４】
続くパートＩＤ「Ａ００２」の部分は、画像通過窓３ｋに関する情報が記載されている。このパート内のタグは、上述と同様であるために、ここでは記載情報のみを説明する。このパートには、画像通過窓３ｋが、中心座標（１２０，２５）、幅５０ｍｍおよび高さ１０ｍｍの矩形状をなし、パートＩＤ「Ａ００１」に再生されている画像に関連するテキスト情報を表示すべきであることが記載されている。また、更新周期の欄には「０」が記載されているが、これは、親である画像通過窓３ｊの更新周期に準ずることを意味している。
【００７５】
さらに、次のパートＩＤ「Ｂ００１」の部分は、画像通過窓３ｆに関する情報が記載されている。このパートには、画像通過窓３ｆが、中心座標（５０，６０）、幅４０ｍｍおよび高さ４０ｍｍの五芒星状をなし、画像を表示すべきであって、「親」であり、３秒の周期で表示を更新することが記載されている。
【００７６】
その次のパートＩＤ「Ｂ００２」の部分は、画像通過窓３ｇに関する情報が記載されている。このパートには、画像通過窓３ｇが、中心座標（１００，９０）、幅４０ｍｍおよび高さ４０ｍｍの五芒星状をなし、「親」であるパートＩＤ「Ｂ００１」の画像を３秒後に表示すべきであることが記載されている。すなわち、ＣＰＵ１１は、こうした情報に基づいて、表示順序、あるいはコマ送り先などの制御を行うようになっている。
【００７７】
図６に示したような形状の表示装飾部材３の場合には、さらに、画像通過窓３ｈに対応するパートＩＤ「Ｂ００３」の部分と、画像通過窓３ｉに対応するパートＩＤ「Ｂ００４」の部分と、が記載されるが、上述したパートＩＤ「Ｂ００２」の部分とほぼ同様（中心座標と親子関係とが異なる部分であり、パートＩＤ「Ｂ００３」の親はパートＩＤ「Ｂ００２」、パートＩＤ「Ｂ００４」の親はパートＩＤ「Ｂ００３」となっている。）であるために、ここではその図示および説明を省略する。
【００７８】
画像表示装置２は、表示装飾部材３の無線ＩＣタグ２２に記録されているこのような情報を、アンテナ部１７および無線ＩＣタグリーダ１６を介して受信し、ＣＰＵ１１がその受信内容を解析して、適切な再生処理を行わせるようになっている。
【００７９】
なお、ここでは、基本的にテキストデータとして記録されたＸＭＬデータを授受する例を説明した。しかし、ＸＭＬデータでは、表現力や実行能力に限界が生じることがある。例えば、何らかのアニメーションキャラクタを登場させて高速なアニメーションを実行させる場合には、ＸＭＬ情報を解析しながら実行するのは処理能力上難しくなる。このようなケースにも対応可能とするには、無線ＩＣタグ２２に記憶する情報を、画像表示装置２のＣＰＵ１１により直接実行可能なバイナリプログラムとすることが考えられる。このような手段をとる場合には、ＸＭＬ情報の場合のようにＣＰＵによる解析を行う必要がなくなるために、高速な処理が可能となる。
【００８０】
次に、図８は、モニタ５の照明装置５ｂの一構成例を示す図である。
【００８１】
照明装置５ｂは、複数の照明手段たるバックライト５ｂ１〜５ｂ９を縦３×横３に配列して構成されたものとなっていて、各バックライトは、液晶モニタ５ａの全表示領域の内の、約１／９の矩形状部分領域を照明するように構成されている。そして、各バックライト５ｂ１〜５ｂ９は、それぞれが独立して、オン／オフを制御することができるように構成されている。
【００８２】
ここで、例えば、図６に示したような表示装飾部材３が画像表示装置２に装着されたとすると、図７に示したような無線ＩＣタグ２２の情報を解析することにより、バックライト５ｂ７に対応する位置には、画像通過窓が存在しておらず、画像を表示する必要がないことが分かる。従って、このような解析結果が得られた場合には、ＣＰＵ１１は、表示制御部１５を介して、バックライト５ｂ７をオフさせるように制御する。これにより、不要な消費電力を削減することが可能となる。
【００８３】
ところで、表示装飾部材３は、図４にも示したように、種々のタイプのものに取り替えることができるようになっている。このとき、表示装飾部材３の中には、液晶モニタ５ａの表示領域の全部を覆い隠すようなタイプ、つまり、画像通過窓が１つも設けられていないタイプのものを含めることが考えられる。このようなタイプの表示装飾部材３は、無線ＩＣタグ２２内に、画像通過窓が設けられていない旨の情報が、例えば上述したＸＭＬ情報として記録されている。こうした画像通過窓がない表示装飾部材３が画像表示装置２に取り付けられた場合には、ＣＰＵ１１は、ＸＭＬ情報解析を行って画像通過窓がない旨を認識し、照明装置５ｂをオフにさせるように制御する。図８に示した構成例では、全てのバックライト５ｂ１〜５ｂ９がオフになるように制御されることになる。ただし、単一のバックライトにより構成された照明装置５ｂであっても、同様にオフに制御するようにすると良い。
【００８４】
このとき、照明装置５ｂだけでなく、さらに、液晶モニタ５ａや、表示制御部１５、記録媒体１２、画像読込制御部１３の電源もオフするようにしても構わない。これにより、より一層の省電力を図ることが可能となる。ただし、画像通過窓が設けられている表示装飾部材３に交換されたときに、それを検出する必要があるために、アンテナ部１７、無線ＩＣタグリーダ１６、ＣＰＵ１１、およびＲＡＭ１４へは、アイドル状態（実行状態へ移行することが可能な待機状態）を維持することができる程度の電力を供給する必要がある。
【００８５】
このような構成を採用すると、表示装飾部材３を入れ替えることにより、画像表示装置２の電源をほぼ実質的にオン／オフすることが可能となり、操作性を高めることができる。そして、このときには、パワースイッチを不要とすることが可能となる（完全に電源をオフするためには、画像表示装置２に接続されるコンセントを外したり、電池を抜脱したりすれば良い）。
【００８６】
なお、画像通過窓が設けられていない表示装飾部材３だけは、画像通過窓が設けられている他の表示装飾部材３と異なり、ヒンジ等を介してモニタ５の前面側に回動し設置し得るようにしても構わない。これにより、電源オフを行うための操作性を高めることができる。なお、このときには、画像通過窓が設けられている表示装飾部材３のさらに前面側に、画像通過窓が設けられていない表示装飾部材３が重ねて設置される可能性がある。従って、ＣＰＵ１１は、アンテナ部１７および無線ＩＣタグリーダ１６を介して複数の表示装飾部材３に関する情報を取得し、それらの内の少なくとも１つが画像通過窓が設けられていない表示装飾部材３に係るものである場合には、他の表示装飾部材３の情報如何に関わらず、電源をオフするように制御することになる。
【００８７】
続いて、図９は、画像表示装置２のＣＰＵ１１により実行される処理を示すフローチャートである。
【００８８】
画像表示装置２に電源が投入される（例えば、コンセントの接続、あるいは電池の装填等）と、ＲＡＭ１４のチェックやその他の必要な初期設定等を行った後に、表示装飾部材３がモニタ５の前面側に取り付けられているか否かを、無線ＩＣタグリーダ１６からの情報に基づき判定する（ステップＳ１）。
【００８９】
ここで、表示装飾部材３が取り付けられていない場合には、全画面表示モードに移行する（ステップＳ２）。なお、この全画面表示モードを実行中には、無線ＩＣタグリーダ１６を介した無線ＩＣタグ２２の情報の検出が適宜の時間間隔で繰り返し行われており、検出した情報に基づいて、表示装飾部材３が取り付けられたことが検出された場合には、割り込み（図９中、丸印で囲んだ記号「Ｉ」で示している）が生じて、この全画面表示モードを終了し、上述したステップＳ１へ移行するようになっている。また、表示装飾部材３の着脱の検出は、無線ＩＣタグリーダ１６を介して行うに限るものではなく、スイッチ等を設けて検出するようにしても構わない。
【００９０】
また、ステップＳ１において、表示装飾部材３が取り付けられていると判定された場合には、無線ＩＣタグリーダ１６を介して無線ＩＣタグ２２の情報を取得する（ステップＳ３）。
【００９１】
その後、取得した情報に基づいて、無線ＩＣタグ２２に記録されている情報は、ＣＰＵ１１が直接実行可能なバイナリプログラムであるか否かを判定する（ステップＳ４）。
【００９２】
ここで、バイナリプログラムである場合には、該バイナリプログラムを実行する直接実行モードに移行する（ステップＳ５）。この直接実行モードを実行中にも、上述と同様に、表示装飾部材３が取り外され、あるいは取り付けられたかが随時検出されており、取り外しあるいは取り付けが検出された場合には、割り込みが生じて、直接実行モードを終了してステップＳ１へ移行するようになっている。
【００９３】
一方、ステップＳ４において、無線ＩＣタグ２２に記録されている情報が、ＣＰＵ１１が直接実行可能なバイナリプログラムではないと判定された場合には、画像通過窓が少なくとも１つ設けられているか否かを判定する（ステップＳ６）。
【００９４】
ここで、画像通過窓が１つも設けられていない表示装飾部材３である場合には、パワーオフモードに移行する（ステップＳ７）。なお、パワーオフモードは、上述したように、画像表示装置２の電源が完全にオフになるのではなく、低消費電力のアイドル状態になるモードである。このパワーオフモードを実行中にも、上述と同様に、表示装飾部材３が取り外され、あるいは取り付けられたかが随時検出されており、取り外しあるいは取り付けが検出された場合には、割り込みが生じて、パワーオフモードを終了してステップＳ１へ移行するようになっている。
【００９５】
ステップＳ６において、取り付けられている表示装飾部材３が少なくとも１つの画像通過窓を有するものであると判定された場合には、画像通過窓に応じた表示を行う装飾再生モードを実行する（ステップＳ８）。この装飾再生モードを実行中にも、上述と同様に、表示装飾部材３が取り外され、あるいは取り付けられたかが随時検出されており、取り外しあるいは取り付けが検出された場合には、割り込みが生じて、装飾再生モードを終了してステップＳ１へ移行するようになっている。
【００９６】
次に、図１０から図１５を参照して、種々の配置を取り得る画像表示装置２と表示装飾部材３との構成例について説明する。
【００９７】
まず、図１０は、画像表示装置２のモニタ５に取り付けられたアンテナ部の配置を示す図である。
【００９８】
このモニタ５は、長辺と短辺との比が２：１となる矩形形状のもの（例えば、２０ｃｍ×１０ｃｍの矩形形状のもの）である。そして、長辺を横方向、短辺を縦方向にしたときに、左上角にアンテナ１７ａが、右上角にアンテナ１７ｂが、左下角にアンテナ１７ｃが、右下角にアンテナ１７ｄが、それぞれ配置されている。これらのアンテナ１７ａ〜１７ｄは、上述した情報取得手段たるアンテナ部１７の一部であり、情報受信部となっている。
【００９９】
一方、図１１は、表示装飾部材３の表示装飾部材本体２１に取り付けられた無線ＩＣタグの配置を示す図である。
【０１００】
この表示装飾部材本体２１は、上述したモニタ５の短辺と略同一の長さ（例えば、１０ｃｍ）の各辺を有する正方形状に形成されていて、当該表示装飾部材本体２１自体の上下方向を示す指標が記載されている。この例においては、上下方向を示す指標として、年月（２００５／４（つまり、２００５年４月））が印刷されており、該文字を読むことができる向きが、この表示装飾部材本体２１の正しい向きであることが分かる。
【０１０１】
そして、正方形状をなす表示装飾部材本体２１の左上角に無線ＩＣタグ２２ａが、右上角に無線ＩＣタグ２２ｂが、左下角に無線ＩＣタグ２２ｃが、右下角に無線ＩＣタグ２２ｄが、それぞれ記憶手段（記憶部）として配置されている。
【０１０２】
ここで、図１５は、右上角の無線ＩＣタグ２２ｂに記録されている情報の一例を示す図である。
【０１０３】
この無線ＩＣタグ２２ｂには、表示装飾部材３の幅および高さが共に１００ｍｍであることと、キーワードが「April,2005」（２００５年４月）であることと、表示装飾部材本体２１の右上（upper right）に配置された無線ＩＣタグであることと、が記載されている。なお、他の無線ＩＣタグ２２ａ，２２ｃ，２２ｄについても、タグ<Position>における記載が、それぞれ、「upper left」，「lower left」，「lower right」になる以外は、同一の情報が記載されている。このように、表示装飾部材３の無線ＩＣタグには、該表示装飾部材３の設置方向に関する情報が記憶されている。なお、この表示装飾部材３には、窓形状のものは設けられていないが、モニタ５の画面全体を覆うサイズではないことから、図９に示したステップＳ６においては、画像通過窓があると判定されるようになっている。
【０１０４】
次に、図１０に示したような画像表示装置２と、図１１に示したような表示装飾部材３とは、図１２〜図１４に示すように、種々の態様で組み合わせて配置することができるようになっている。
【０１０５】
まず、図１２は、画像表示装置２を横位置に載置して、モニタ５の右半分を覆うように表示装飾部材３を取り付けた配置例を示す図である。なお、画像表示装置２の横位置とは、長辺が横になる位置のことである。
【０１０６】
この配置のときには、アンテナ１７ｂにより無線ＩＣタグ２２ｂの情報が取得され、アンテナ１７ｄにより無線ＩＣタグ２２ｄの情報が取得される一方、アンテナ１７ａ，１７ｃからは無線ＩＣタグの情報は取得されない。なお、無線ＩＣタグの情報は、アンテナに極めて近接したときにのみ取得されるものとする。ＣＰＵ１１は、無線ＩＣタグ２２ｂの情報により、アンテナ１７ｂが右上角部に配置されていることが分かり、アンテナ１７ａ，１７ｂを含む長辺が上側、アンテナ１７ｃ，１７ｄを含む長辺が下側に配置されていることが分かる。こうして、ＣＰＵ１１は、画像表示装置２が載置されている方向を判定することができる。さらに、ＣＰＵ１１は、モニタ５の右半分が表示装飾部材３に覆われていることが分かるために、表示制御部１５を介して、モニタ５の左半分に上記判定した方向に合致する表示を行わせれば良いことになる。このことは、アンテナ１７ｄを介して取得される無線ＩＣタグ２２ｄの情報からも同様に判定することができる。こうして、ＣＰＵ１１は、各アンテナ１７ａ〜１７ｄから取得した情報に基づいて、モニタ５と表示装飾部材３との相対的な方向と、モニタ５自体の方向と、を判定し、判定した方向に基づいて、モニタ５に表示させる画像を制御するようになっている。
【０１０７】
次に、図１３は、画像表示装置２を横位置に載置して、モニタ５の左半分を覆うように表示装飾部材３を取り付けた配置例を示す図である。
【０１０８】
この配置のときには、アンテナ１７ａにより無線ＩＣタグ２２ａの情報が取得され、アンテナ１７ｃにより無線ＩＣタグ２２ｃの情報が取得される一方、アンテナ１７ｂ，１７ｄからは無線ＩＣタグの情報は取得されない。ＣＰＵ１１は、無線ＩＣタグ２２ａの情報により、アンテナ１７ａが左上角部に配置されていることが分かり、アンテナ１７ａ，１７ｂを含む長辺が上側、アンテナ１７ｃ，１７ｄを含む長辺が下側に配置されていることが分かる。さらに、ＣＰＵ１１は、モニタ５の左半分が表示装飾部材３に覆われていることが分かるために、表示制御部１５を介して、モニタ５の右半分に上記判定した方向に合致する表示を行わせれば良いことになる。このことは、アンテナ１７ｃを介して取得される無線ＩＣタグ２２ｃの情報からも同様に判定することができる。
【０１０９】
続いて、図１４は、画像表示装置２を縦位置に載置して、モニタ５の下半分を覆うように表示装飾部材３を取り付けた配置例を示す図である。なお、画像表示装置２の縦位置とは、長辺が縦になる位置のことである。
【０１１０】
この配置のときには、アンテナ１７ｂにより無線ＩＣタグ２２ｄの情報が取得され、アンテナ１７ｄにより無線ＩＣタグ２２ｃの情報が取得される一方、アンテナ１７ａ，１７ｃからは無線ＩＣタグの情報は取得されない。ＣＰＵ１１は、無線ＩＣタグ２２ｄの情報により、アンテナ１７ｂが右下角部に配置されていることが分かり、アンテナ１７ｂ，１７ｄを含む短辺が下側、アンテナ１７ａ，１７ｃを含む短辺が上側に配置されていることが分かる。さらに、ＣＰＵ１１は、モニタ５の下半分が表示装飾部材３に覆われていることが分かるために、表示制御部１５を介して、モニタ５の上半分に上記判定した方向に合致する表示を行わせれば良いことになる。このことは、アンテナ１７ｄを介して取得される無線ＩＣタグ２２ｃの情報からも同様に判定することができる。
【０１１１】
なお、特に図示はしないが、画像表示装置２を縦位置に載置して、モニタ５の上半分を覆うように表示装飾部材３を取り付けることももちろん可能である。
【０１１２】
また、上述では、画像表示装置２のモニタ５の４つの角部に４つのアンテナ１７ａ〜１７ｄを設け、表示装飾部材３の表示装飾部材本体２１の４つの角部に４つの無線ＩＣタグ２２ａ〜２２ｄを設けたが、配置がどのような態様で何通り可能であるかに応じて、より多くの数の、またはより少ない数の、アンテナや無線ＩＣタグを適宜の位置に設けるようにすることも可能である。
【０１１３】
これにより、画像表示装置２に対して、種々の大きさ表示装飾部材３を、種々の態様で取り付けることが可能となり、より表現が豊かになって、より利便性が広がる。
【０１１４】
なお、上述では、画像表示装置２と表示装飾部材３とは無線によって通信を行っていて、つまり非接触通信となっているが、これに限らず、接触して通信を行うような手段を用いても構わない。
【０１１５】
また、上述では、モニタ５が液晶モニタ５ａと照明装置５ｂとを含んで構成される例を説明しているが、もちろんこれに限るものではなく、有機ＥＬや電子ペーパーなどの各種の表示デバイスを用いることが可能である。要は、写真等を表示するのにふさわしい画質で表示可能であって、かつ、長時間の表示を行うものであるために比較的消費電力の小さいものであれば、広く採用することができる。
【０１１６】
そして、上述では、無線ＩＣタグに記憶する情報として、表示装飾部材の大きさや形状、画像通過窓の大きさや形状や配置、などを例に挙げているが、これらに限らず、画像をモノクロやセピアで表示させる、あるいは画像をフェードイン／フェードアウトで表示させる、等の表示態様に係る情報を記憶するようにしても良い。
【０１１７】
このような実施形態１によれば、所望の表示装飾部材を画像表示装置に設置することにより、部屋のインテリアにマッチした装飾が施された画像表示システムを構成することができる。さらに、写真を適宜の時間で更新することにより、画面の焼き付きを防止することも可能となる。
【０１１８】
加えて、背面側に表示装飾部材を収納するための収納部を設けたために、気分の変化や部屋の模様替え等に対応して、気軽に交換することができると共に、紛失等を確実に防ぐこともできる。
【０１１９】
また、表示装飾部材に設けた画像通過窓毎にどのような表示を行うかを、無線ＩＣタグに記憶するようにしたために、各画像通過窓に対応した表示を行うことができ、多様な表示が可能となる。
【０１２０】
さらに、記憶手段として無線ＩＣタグを用いているために、電気接点等を設ける必要がなく、表示装飾部材の低コスト化を図ることができると共に、デザイン上も優れたものとなる。
【０１２１】
そして、１つの表示装飾部材であっても、画像表示装置に対して種々の位置や向きに取付可能とすることにより、表示の多様性をより高めることができる。このとき、無線ＩＣタグを表示装飾部材本体の各位置に取り付け、アンテナ部をモニタ５の各位置に取り付けることにより、画像表示装置に対する表示装飾部材の設置位置や設置方向を容易に取得することができる。さらに、表示装飾部材の上下左右の方向が定まっている場合には、画像表示装置自体の設置方向も決定することができ、正しい方向の表示を確実に行うことが可能となる。
【０１２２】
また、画像群の中から表示対象とする画像を選別するための情報を無線ＩＣタグに記憶しておくことにより、その表示装飾部材に適した、あるいは表示装飾部材に設けられている画像通過窓に適した、画像を自動的に表示することが可能となる。
【０１２３】
さらに、画像の表示を更新する時間を無線ＩＣタグに記憶しておくことにより、その表示装飾部材に適した時間間隔で、あるいは表示装飾部材に設けられている画像通過窓に適した時間間隔で、画像を更新することが可能となる。
【０１２４】
そして、画像に係る情報を表示させるための情報を無線ＩＣタグに記憶しておくことにより、画像を表示するとともに、画像に関連した情報、例えば撮影日時やコメント等を表示することが可能となる。
【０１２５】
加えて、画像の表示態様に係る情報を無線ＩＣタグに記憶しておくことにより、その表示装飾部材に適した表示態様で、あるいは表示装飾部材に設けられている画像通過窓に適した表示態様で、画像を表示することが可能となる。これにより、モノクロ表示や、セピア表示、フェードイン／フェードアウトなどの効果的な表示を容易に行うことができる。
【０１２６】
また、表示装飾部材が取り付けられていない場合には、通常の全画面表示を行うことも可能となる。
【０１２７】
一方、モニタの全画面を覆うタイプの表示装飾部材が取り付けられた場合には、自動的に電源が実質的にオフになるために、使い勝手が向上すると共に、電源スイッチを別途設ける必要がなくなり、コストを削減することができる。
【０１２８】
さらに、液晶モニタを、複数のバックライトにより部分毎に照明するようにして、表示が行われていない領域を照明するバックライトをオフするようにしたために、無駄な電力の消費を抑制することが可能となる。
【０１２９】
そして、画像表示装置のＣＰＵにより直接実行可能なバイナリプログラムを無線ＩＣタグに記憶しておくことにより、複雑な制御を高速に行うことが可能となる。
【０１３０】
さらに、画像を内蔵の小型ハードディスクやフラッシュメモリ等に記憶することにより、いつでも確実に画像を表示することが可能となる。
【０１３１】
また、着脱自在のメモリカードから画像を読み出すようにすることにより、所望の画像を表示することが可能となる。
【０１３２】
そして、ネットワークに接続して画像を取得するように構成した場合には、インターネット等のネットワーク上に存在する膨大な画像を表示対象とすることができ、表示画像の多様性が増大する。
【０１３３】
なお、本発明は上述した実施形態に限定されるものではなく、発明の主旨を逸脱しない範囲内において種々の変形や応用が可能であることは勿論である。
【０１３４】
［付記］
以上詳述したような本発明の上記実施形態によれば、以下のごとき構成を得ることができる。
【０１３５】
（１）  外部から読み取り可能な情報を記憶する記憶手段を有する表示装飾部材を設置可能な画像表示装置であって、
画像を表示するための画像表示手段と、
前記表示装飾部材を前記画像表示手段の前面に設置するための表示装飾部材設置手段と、
前記表示装飾部材の前記記憶手段に記憶されている情報を取得するための情報取得手段と、
前記情報取得手段により取得した情報に基づいて、前記画像表示手段に表示させる画像を制御する制御手段と、
を具備したことを特徴とする画像表示装置。
【０１３６】
（２）  メモリカードを着脱自在に装着し得るものであり、装着されたメモリカードとのデータの授受を行うためのメモリカード制御手段をさらに具備し、
前記制御手段は、前記メモリカード制御手段から画像データを取得して前記画像表示手段に画像を表示させるように制御するものであることを特徴とする付記（１）に記載の画像表示装置。
【０１３７】
（３）  画像データを蓄積可能な不揮発性記憶手段をさらに具備し、
前記制御手段は、前記不揮発性記憶手段から画像データを取得して前記画像表示手段に画像を表示させるように制御するものであることを特徴とする付記（１）に記載の画像表示装置。
【０１３８】
（４）  ネットワークに接続して通信を行うためのネットワーク制御手段をさらに具備し、
前記制御手段は、前記ネットワーク制御手段から画像データを取得して前記画像表示手段に画像を表示させるように制御するものであることを特徴とする付記（１）に記載の画像表示装置。
【０１３９】
（５）  外部から読み取り可能な情報を記憶する記憶手段を有する表示装飾部材を設置可能な画像表示装置であって、画像を表示するための画像表示手段と、前記表示装飾部材を前記画像表示手段の前面に設置するための表示装飾部材設置手段と、前記表示装飾部材の前記記憶手段に記憶されている情報を取得するための情報取得手段と、前記情報取得手段により取得した情報に基づいて前記画像表示手段に表示させる画像を制御する制御手段と、を備えた画像表示装置に設置され得る表示装飾部材であって、
前記画像表示手段の全画面の少なくとも一部を、画像の通過を禁止するように覆うための表示装飾部材本体と、
前記画像表示装置の表示に関する情報を外部から読み取り可能に記憶する記憶手段と、
を具備したことを特徴とする表示装飾部材。
【０１４０】
（６）  前記記憶手段が記憶する情報は、非接触通信により読み取られ得るものであることを特徴とする付記（５）に記載の表示装飾部材。
【０１４１】
（７）  前記記憶手段は、該表示装飾部材における画像の通過を許容する領域と画像の通過を禁止する領域との少なくとも一方に関する情報を記憶するものであることを特徴とする付記（５）に記載の表示装飾部材。
【０１４２】
（８）  前記記憶手段は、該表示装飾部材の設置方向に関する情報をさらに記憶するものであることを特徴とする付記（７）に記載の表示装飾部材。
【０１４３】
（９）  前記記憶手段は、前記表示装飾部材本体における所定の複数位置に対応して配設された複数の記憶部を有して構成されたものであることを特徴とする付記（８）に記載の表示装飾部材。
【０１４４】
（１０）  前記記憶手段は、画像群の中から表示対象とする画像を選別するための情報をさらに記憶するものであることを特徴とする付記（７）に記載の表示装飾部材。
【０１４５】
（１１）  前記記憶手段は、画像の表示を更新する時間をさらに記憶するものであることを特徴とする付記（７）に記載の表示装飾部材。
【０１４６】
（１２）  前記記憶手段は、画像に係る情報を表示させるための情報、をさらに記憶するものであることを特徴とする付記（７）に記載の表示装飾部材。
【０１４７】
（１３）  前記記憶手段は、画像の表示態様に係る情報をさらに記憶するものであることを特徴とする付記（７）に記載の表示装飾部材。
【０１４８】
（１４）  前記表示装飾部材本体は、前記画像表示手段の全画面に渡る画像の通過を禁止するものであって、
前記記憶手段は、前記画像表示手段の全画面に渡る画像の通過を禁止することを記憶するものであることを特徴とする付記（７）に記載の表示装飾部材。
【０１４９】
（１５）  前記記憶手段は、前記画像表示装置の前記制御手段により直接実行可能なバイナリプログラムを記憶するものであることを特徴とする付記（５）に記載の表示装飾部材。
【産業上の利用可能性】
【０１５０】
本発明は、表示装飾部材を設置可能な画像表示装置に好適に利用することができる。
【図面の簡単な説明】
【０１５１】
【図１】本発明の実施形態１における表示装飾部材の一例を示す図。
【図２】上記実施形態１において、図１の表示装飾部材に対応する画像表示装置の表示例を示す図。
【図３】上記実施形態１において、図１の表示装飾部材と図２の画像表示装置とを組み合わせた状態を示す図。
【図４】上記実施形態１において、表示装飾部材を取り付けた画像表示装置の構成を示す断面図。
【図５】上記実施形態１における画像表示システムの主として電気的な構成を示すブロック図。
【図６】上記実施形態１における表示装飾部材の他の例を示す図。
【図７】上記実施形態１において、図６に示したような表示装飾部材の無線ＩＣタグに記憶されている情報の例を示す図。
【図８】上記実施形態１におけるモニタの照明装置の一構成例を示す図。
【図９】上記実施形態１において、画像表示装置のＣＰＵにより実行される処理を示すフローチャート。
【図１０】上記実施形態１において、画像表示装置のモニタに取り付けられたアンテナ部の配置を示す図。
【図１１】上記実施形態１において、表示装飾部材の表示装飾部材本体に取り付けられた無線ＩＣタグの配置を示す図。
【図１２】上記実施形態１において、画像表示装置を横位置に載置してモニタの右半分を覆うように表示装飾部材を取り付けた配置例を示す図。
【図１３】上記実施形態１において、画像表示装置を横位置に載置してモニタの左半分を覆うように表示装飾部材を取り付けた配置例を示す図。
【図１４】上記実施形態１において、画像表示装置を縦位置に載置してモニタの下半分を覆うように表示装飾部材を取り付けた配置例を示す図。
【図１５】上記実施形態１において、右上角の無線ＩＣタグに記録されている情報の一例を示す図。
【符号の説明】
【０１５２】
１…画像表示システム
２…画像表示装置
２ａ〜２ｅ…画像表示領域
３…表示装飾部材
３ａ〜３ｋ…画像通過窓
４…本体
４ａ…取付部（表示装飾部材設置手段）
４ｂ…収納部（収納手段）
４ｃ…収納扉
５…モニタ（画像表示手段）
５ａ…液晶モニタ（透過型表示素子）
５ｂ…照明装置（照明手段）
５ｂ１〜５ｂ９…バックライト（照明手段）
６…額縁
１１…ＣＰＵ（制御手段）
１２…記録媒体
１３…画像読込制御部（制御手段）
１４…ＲＡＭ
１５…表示制御部（制御手段）
１６…無線ＩＣタグリーダ（情報取得手段）
１７…アンテナ部（情報取得手段）
１７ａ〜１７ｄ…アンテナ（情報受信部）
２１…表示装飾部材本体
２２，２２ａ〜２２ｄ…無線ＩＣタグ（記憶手段）
【図１】
2007047480.tif 000003
【図２】
2007047480.tif 000004
【図３】
2007047480.tif 000005
【図４】
2007047480.tif 000006
【図５】
2007047480.tif 000007
【図６】
2007047480.tif 000008
【図７】
2007047480.tif 000009
【図８】
2007047480.tif 000010
【図９】
2007047480.tif 000011
【図１０】
2007047480.tif 000012
【図１１】
2007047480.tif 000013
【図１２】
2007047480.tif 000014
【図１３】
2007047480.tif 000015
【図１４】
2007047480.tif 000016
【図１５】
2007047480.tif 000017